(57)【要約】      （修正有）【課題】１本の棒状のバネ線材を曲げ加工するだけでボールを保持することができると共に、簡単にボールだけを着脱することができて、反復した打球練習ができる打球練習用具を提供する。【解決手段】１本の弾性素材からなる棒状のバネ線材の一端側を曲げて加工することで、互いの端部同士が屈曲部３ｃにより繋がっている２つの円状部３ｂ等の弾性力によりボール６を着脱自在に保持するボール保持部と、ボール保持部を一端側に有する直線状の揺動バネ部４とを備える打球練習用具本体２が構成される。上記打球練習用具本体２のボール保持部にボール６を保持させると共に、揺動バネ部４の他端側を固定具５に固定することで、揺動バネ部４の弾性力を利用して打球練習を可能とする。【選択図】図４
0003183345.tif 000002
【実用新案登録請求の範囲】
【請求項１】
打球練習用具本体を固定具に固定した卓球の打球練習用具であって、
上記打球練習用具本体は、弾性を有する１本の棒状のバネ線材からなると共に、上記バネ線材の一端側を曲げて形成した、互いの端部同士がＵ字状の屈曲部により繋がっている２つの円状部からなるボール保持部と、上記ボール保持部を端部に有する棒状の揺動バネ部とを備え、
上記ボール保持部にボールで保持すると共に、上記揺動バネ部の他端側を固定具に着脱可能に固定した構成を有すること
を特徴とする卓球の打球練習用具。
【請求項２】
ボール保持部は、バネ線材の一端側の途中個所が円形状に曲げられて、該バネ線材の途中箇所に卓球のボールの径よりも小さい径となる円状部が形成され、
更に、該円状部よりも一端側のバネ線材を折り返して上記バネ線材の直線状の部分を囲むＵ字状の屈曲部が形成されていると共に、上記屈曲部よりも一端側のバネ線材が上記円状部とは反対回りとなるように円形状に曲げられて、上記円状部と同一の大きさの他の円状部が形成され、
上記他の円状部を形成したバネ線材の一端部が上記屈曲部の内側に位置するように構成されている
請求項１記載の卓球の打球練習用具。
【請求項３】
バネ線材の一端側でボール保持部を曲げ形成した側の一端部を、上記揺動バネ部の一端部に固定する端部固定部材を備えている
請求項１又は２記載の卓球の打球練習用具。
【請求項４】
端部固定部材は、一端側がバネ線材の一端部からバネ線材の屈曲部と交差する個所まで位置する長さとしてある
請求項３記載の卓球の打球練習用具。
【考案の詳細な説明】
【技術分野】
【０００１】
本考案は、卓球の打球練習用具に関するもので、１本のバネ線材を加工することで反復した打球練習ができ、フォームや打球感覚を身につけることができる練習用具である。
【背景技術】
【０００２】
卓球の練習においては、従来から素振りによる打球フォームの練習が主に行われていた。しかし、素振り練習ではボールを直接打つことがないため、打球感覚を得られることはできないので、近年では打球用の練習装置を用いた練習が行われている（たとえば、特許文献１、２）。
【０００３】
特許文献１に示された練習装置は、基台上に設けた円柱形状のスタンド、該スタンドの上端部に上下動及び回転自在に設けた横支柱、該横支柱の両端部に左右動及び回転自在に設けたアーム、該アームの端部に上下動及び回転自在に摺動設置された支柱、該支柱に取り付けられた揺動バネ棒、該揺動バネ棒の先端に打撃球（ボール）を接着剤により固着した球固着具から構成されており、打球時に揺動バネ棒の弾性変位により連続打球練習を行うことができるとしている。
【０００４】
特許文献２に示された練習具は、基台と該基台の頂部に下端を固定された弾性を有する針金状支持部材、該支持部材の頂部に接着等の方法で直接固定又は取付紐を介して固定された卓球のボールから構成されており、ボールを打つことにより支持部材が打撃方向に向けて大きく湾曲変形し、その弾性により反発して返球されることになるので反復練習を行うことができるとしている。
【先行技術文献】
【特許文献】
【０００５】
【特許文献１】特開２００３−１７５１４０号公報
【特許文献２】実開昭５４−６４５７０号公報
【考案の概要】
【考案が解決しようとする課題】
【０００６】
しかし、特許文献１に記載されている練習装置では、揺動バネ棒の弾性変位により連続打撃練習ができるものであるが、スタンド、横支柱、アーム、支柱、揺動バネ棒、球固着具と、それぞれが別部材で構成されているため、打撃用の練習装置が複雑なものとなり、また、装置自体の重さも重くなってしまう。
【０００７】
また、特許文献１に記載されている練習装置、特許文献２に示された練習具は共通して、ボールに接着剤を付けて固定されているため、ボールが破損してしまった場合には、ボールだけの交換だけではなく、ボールと一緒にボールを取り付けている部材自体も交換しなければならない。更に、特許文献２に記載されている他の形態のように、ボールに取付紐を取付けるようにするためには、ボールに穴をあけるなどの何等かの加工をする必要が生じる。
【０００８】
そこで、本考案は、上記の問題点を解消するために、１つの棒状の弾性を有する部材を曲げて加工するだけの簡単な構成でボールを保持することができると共に、簡単にボールだけの着脱をすることができて、反復した打球練習ができる打球練習用具を提供しようとするものである。
【課題を解決するための手段】
【０００９】
本考案は、上記課題を解決するために、請求項１に対応して、打球練習用具本体を固定具に固定した卓球の打球練習用具であって、上記打球練習用具本体は、弾性を有する１本の棒状のバネ線材からなると共に、上記バネ線材の一端側を曲げて形成した、互いの端部同士がＵ字状の屈曲部により繋がっている２つの円状部からなるボール保持部と、上記ボール保持部を端部に有する棒状の揺動バネ部とを備え、上記ボール保持部にボールで保持すると共に、上記揺動バネ部の他端側を固定具に着脱可能に固定した構成を有することを特徴とする卓球の打球練習用具とする。
【００１０】
具体的には、ボール保持部は、バネ線材の一端側の途中個所が円形状に曲げられて、該バネ線材の途中箇所に卓球のボールの径よりも小さい径となる円状部が形成され、更に、該円状部よりも一端側のバネ線材を折り返して上記バネ線材の直線状の部分を囲むＵ字状の屈曲部が形成されていると共に、上記屈曲部よりも一端側のバネ線材が上記円状部とは反対回りとなるように円形状に曲げられて、上記円状部と同一の大きさの他の円状部が形成され、上記他の円状部を形成したバネ線材の一端部が上記屈曲部の内側に位置する構成とする。
【００１１】
上記構成において、バネ線材の一端側でボール保持部を曲げ形成した側の一端部を、上記揺動バネ部の一端部に固定する端部固定部材を備えている構成とする。
【００１２】
また、上記各構成において、端部固定部材は、一端側がバネ線材の一端部からバネ線材の屈曲部と交差する個所まで位置する長さとしてある構成とする。
【考案の効果】
【００１３】
本願考案の卓球の打球練習用具によれば、次のような優れた効果を発揮する。  
（１）打球練習用具本体を構成する、弾性を有する１本の棒状のバネ線材の一端側を曲げて加工するだけでボール保持部を構成しているので、ボール保持部の弾性力によりボールを保持することができると共に、該ボール保持部に簡単かつ自在にボールを着脱することができる。また、揺動バネ部の他端側を固定具に固定するだけで、揺動バネ部の弾性力により反復した打球練習が可能となる。  
（２）ボールに接着剤を付けることなくボール保持部によりボールを保持することができるので、ボール保持部に保持させたボールの打球感覚を現実に近いものとすることができる。  
（３）揺動バネ部を固定具に着脱可能に固定することができるので、揺動バネ部の長さを固定位置で長短に調整することにより、揺動バネ部の揺動幅と揺動速度を調整でき、低速から高速までの揺動速度に応じた打球練習を行うことができる。
【図面の簡単な説明】
【００１４】
【図１】本考案の卓球の打球練習用具の実施形態における打球練習用具本体を示すもので、（ａ）は曲げ加工されたバネ線材の平面図、（ｂ）は側面図、（ｃ）は正面図である。
【図２】打球練習用具本体におけるバネ線材を曲げ加工してボール保持部を形成するための手順を示す図である。
【図３】打球練習用具本体のボール保持部にボールを保持させた状態を示すものであり、（ａ）は平面図、（ｂ）は左側面図、（ｃ）は正面図、（ｄ）は右側面図である。
【図４】本考案の卓球の打球練習用具の実施形態の一例を示すものである。
【考案を実施するための形態】
【００１５】
以下、本考案を実施するための形態を、図面に基づき説明する。
【００１６】
図１（ａ）（ｂ）（ｃ）乃至図４は、本考案の卓球の打球練習用具１の実施の一形態を示すもので、本考案の卓球の打球練習用具１は、ボール保持部３と揺動バネ部４とを備えた打球練習用具本体（以下、単に用具本体という。）２と、該用具本体２を固定して支持する固定具５とからなる構成としてある。
【００１７】
上記用具本体２は、図１（ａ）（ｂ）（ｃ）に示すように、弾性素材からなる１本の棒状のバネ線材の一端側の途中個所を複数回曲げ加工して２つの円状部３ａ，３ｂを形成したボール保持部３と、ボール保持部３を一端部側に有する揺動バネ部４とを備えた構成としてある。符号８は図２に示すように、ボール保持部３を形成したバネ線材の一端部Ｙを揺動バネ部４に固定するための端部固定部材である。一方、固定具５は、図４に示すように、上記用具本体２の他端側（バネ線材の他端側）を固定して支持させるように構成されている。
【００１８】
上記用具本体２を構成するバネ線材は、細径且つ軽量で、且つボール保持部３にボール６を保持させた状態で自立できるものであればよく、たとえば、線径が約０．５ｍｍ〜１．５ｍｍのバネ用ステンレス線等のステンレス材で弾性力のある素材で形成されたものである。
【００１９】
バネ線材の線径を約０．５ｍｍ〜１．５ｍｍとしたのは、これよりも細い場合には、弾性力が低下してボール保持部３でのボール保持力が低下したり、ボール６を保持して打球練習する際に、揺動バネ部４がボール６の重さで自立できなかったりする場合があるからである。また、これよりも太い場合には、ボール保持部３を形成するためにバネ線材を曲げ加工することが困難になることや、打球によってもあまり揺動しなくなる場合があるからである。
【００２０】
用具本体２のボール保持部３は、バネ線材を曲げ加工することで、ボールの径よりも小さくて、一端部同士が繋がっている同一の大きさの２つの円状部３ａ，３ｂによって形成されるものである。
【００２１】
すなわち、用具本体２のボール保持部３は、曲げ加工する前の１本の棒状（直線状）のバネ線材を、図２に示すように、先端側（一端側）の途中個所を湾曲するように曲げて、上記バネ線材の途中個所に卓球のボール６の径よりも小さい径の円形状の円状部３ａを形成する。次いで、該円状部３ａを形成したバネ線材の一端側を、直線状の部分Ｘと交差する個所で折り返してＵ字状に屈曲させて、屈曲部３ｃを形成する。この際、屈曲部３ｃの内側に直線状の部分Ｘが位置するようにする。更に一端側を、上記円状部３ａと同一の大きさとなるように円状部３ａの形成とは反対回りに曲げて、円状部３ｂを形成する。そして、円状部３ｂよりも先端（バネ線材の一端部Ｙ）を屈曲部３ｃの内側に通して、揺動バネ部４の一端部Ｚに沿わせる。
【００２２】
なお、円状部３ａと円状部３ｂの大きさは、同一のものとするが、完全同一のものでなくても、円状部３ａ，３ｂを形成する際に生ずる寸法誤差による多少の大きさの違いがあってもよい。
【００２３】
上記の方法によりバネ線材を曲げ加工することで、用具本体２は、図１（ａ）（ｂ）（ｃ）に示すように、互いの端部側が屈曲部３ｃとして繋がっている２つの円状部３ａ，３ｂを有するボール保持部３が形成され、それ以外のバネ線材の部分、すなわち、ボール保持部３を一端部側に有する部分で揺動バネ部４が構成される。
【００２４】
また、ボール保持部３に対してボール６を保持させる場合には、図１（ａ）に示すように、円状部３ａ，３ｂが平面視略Ｖ字状に形成されたボール保持部３の円状部３ａ，３ｂの両開放端７，７の間から屈曲部３ｃに向けてボール６を押し込むように挿入する。これにより、両円状部３ａ，３ｂの開放端７，７の角度が拡張し、図３（ａ）に示すようにボール６は、両円状部３ａ，３ｂ間に嵌合することで保持された状態になる。
【００２５】
この際、バネ線材は、弾性素材からなり、しかも、ボール保持部３を構成する２つ円状部３ａ，３ｂは、屈曲部３ｃで繋がっているので、図３に示すようにボール保持部３にボール６を装着させたとき、弾性力により図１に示すようにボール６を保持させる前の形状に戻ろうとする力が働く。そのため、２つの円状部３ａ，３ｂはボール６に圧着し、ボール６の保持力を強めることができる。
【００２６】
本考案の卓球の打球練習用具１を構成する用具本体２のボール保持部３を形成する場合において、バネ線材を単に曲げ加工しただけでは、バネ線材の弾性力により元の状態に戻ろうと拡張する力が働き、ボール６を保持する力が弱くなってしまうことがある。そのため、ボール保持部３を形成した後、屈曲部３ｃの内側を通したバネ線材の一端部Ｙを、揺動バネ部４の一端部Ｚに端部固定部材８で固定しておくようにする。
【００２７】
端部固定部材８は、ゴム管、樹脂チューブ、熱収縮チューブ等の筒状のカバー部材で構成され、図２に示すように揺動バネ部４の他端側からカバー部材８（説明の便宜上、端部固定部材と同一の符号を付してある）内部に上記他端側端部を挿通していき、更にボール保持部３を形成したバネ線材の一端部Ｙをカバー部材８内部に挿入させることで、図１（ｂ）（ｃ）に示すようにバネ線材の一端部Ｙ（図２参照）を、揺動バネ部４の一端部Ｚに固定できるようにする。
【００２８】
また、端部固定部材８は、図１（ｂ）（ｃ）、図３（ｂ）（ｃ）に示すように、一端側が、屈曲部３ｃと上記直線状の部分Ｘ及びバネ線材の一端部側とが交差する個所に位置する長さとしてある。図３に示すようにボール６を保持させた状態で打球練習するときには、ボール６を打球することで、衝撃がボール６を通じて保持部３を含む用具本体２にまで伝わり、特に屈曲部３ｃと直線状の部分Ｘ及びバネ線材の一端部側とが交差する個所では、その衝撃により互いに接触して擦れあうため摩耗したり異音が発生したりすることがある。しかし、本考案では、端部固定部材８が、屈曲部３ｃと直線状の部分Ｘ及びバネ線材の一端部側とが交差する個所にまで位置するようにしてあることで、端部固定部材８は、バネ線材の一端部Ｙを固定する機能だけでなく、衝撃緩衝、消音の効果まで発揮することができる。
【００２９】
なお、バネ線材の一端部Ｙの固定は、上記の端部固定部材８のみにより固定するものに限られることなく、バネ線材の一端部Ｙと該一端部Ｙに対応する位置の揺動バネ部４の一端部Ｚとを溶接による固定や金属管による圧着固定等により固定して、その後に衝撃緩衝、消音の効果を発揮する端部固定部材８を取り付けるようにしてもよい。
【００３０】
なお、上記金属管でバネ線材の一端部Ｙと該一端部Ｙに対応する位置の揺動バネ部４の一端部Ｚとを固定する場合、該金属管により固定する位置は、屈曲部３ｃと交差する個所までの長さとせずに、屈曲部３ｃとの交差部から離れた個所に位置するようにする。屈曲部３ｃと金属管とが接触して擦れあうことがないようにするためである。
【００３１】
また、バネ線材の一端部Ｙと該一端部Ｙに対応する位置の揺動バネ部４の一端部Ｚとを、上記のように溶接若しくは金属管による固定をする場合には、バネ線材の弾性力により元の状態に戻ろうと拡張する力を十分に抑えることができるので、必ずしも端部固定部材８を必須のものとしなくてもよい。
【００３２】
次に、上記のようにして１本のバネ線材によりボール保持部３及び揺動バネ部４を構成した用具本体２を、打球練習用具１として使用する際の構成を説明する。
【００３３】
図４は、本考案の打球練習用具１として構成する一例であり、揺動バネ部４の他端側である自由端側を固定具５として使用するペットボトル９のキャップ１０にホースバンド１１により取り付けた例を示している。
【００３４】
このようにすることで、用具本体２は、図４に実線で示すように自立した状態になる。また、ホースバンド１１により用具本体２の取り付け位置を軸心方向に変化させることで、揺動バネ部４のうち、固定具５からボール保持部３までの長さ寸法を自由に変更することが可能である。
【００３５】
このように、固定具５からボール保持部３までの長さ寸法を変化させることにより、ボール保持部３に保持されたボール６を打球した際に、上記長さ寸法が長い場合と短い場合とでは揺動幅がそれぞれ異なることになる。したがって、該揺動幅の大きさにより揺動バネ部４及びボール保持部３の揺動速度を調整することができ、低速から高速までの用途に応じた打球練習をすることが可能となる。
【００３６】
なお、ペットボトル９は、市販の飲料水入りのものや、飲み終わった後のものに水を入れて使用すれば良く、更に２Ｌの水等が入ったペットボトル９を使用すれば約２ｋｇの重りにもなるので、安定性があり、ホースバンド１１と共用することで固定具５として十分に機能する。
【００３７】
そのため、ボール保持部３にボール６が保持された揺動バネ部４を、固定具５としてのペットボトル９のキャップ１０にホースバンド１１等により取り付けた状態で、図示しない卓球用のラケットでボール６を打球（図４右側から左側に向けて打球）することにより、ボール６が保持された状態で揺動バネ部４は弾性により、図４に二点鎖線で示すように左側へ変位し、それに伴いボール６も（Ｌ）の位置まで移動する。その後揺動バネ部４の弾性力により、揺動バネ部４及びボール６は二点鎖線で示す（Ｒ）の位置まで変位する。この間に打球しなければ、再度、弾性力により（Ｌ）の位置まで戻ろうとし、最終的には元の状態（実線で示す状態）に復帰して静止することになる。
【００３８】
本考案の卓球の打球練習用具１は、上記のような特性をもっているので、反復した打球練習をする際には、元の位置からの打球により（Ｌ）の位置に揺動バネ部４及びボール保持部３に保持されたボールが移動した後、弾性力によって（Ｒ）の位置に変位する前に再度打球をすることで、動いた状態のボール６の打球練習を行うことができる。
【００３９】
この際、揺動バネ部４のうち、固定具５からボール保持部３までの長さ寸法を短くしておくことで、揺動バネ部４の揺動幅が短くなるので揺動速度が速くなり、高速での反復打球練習をすることができる。反対に、固定具５からボール保持部３までの長さ寸法を長くしておくことで、揺動バネ部４の揺動幅が長くなるので揺動速度が遅くなり、低速での反復打球練習をすることができる。
【００４０】
また、本考案の打球練習用具１のボール保持部３は、図３（ｂ）（ｃ）、図４に示すように、ボール６の打球面側とは反対側で、端部固定部材８又は溶接若しくは金属管による固定によりバネ線材の一端部が固定されていて、保持力が弱まることがないと共に、屈曲部３ｃによりボール６の打球方向の抑えが構成されてボール６を保持しているので、ボール６を強打したとしてもボール保持部３からボール６が落下することを防ぐことができる。
【００４１】
更に、図３（ａ）（ｃ）、図４に示すように、ボール保持部３を形成する円状部３ａ，３ｂの径は、ボール６の径よりも小さく形成されているので、ボール保持部３にボール６を保持した状態であっても、ボール６の打球面がボール保持部３よりも外側に出ることになり、ボール６を外側から保持しているにもかかわらず、打球練習には何ら支障をきたすことがない。むしろ打球時にラケットの打球面にボール保持部３の部分が当たってしまうような場合には、ボール６を狙った点で打てていないということになり、練習における修正点として練習者に認識させることができる。
【００４２】
更にまた、本考案の卓球の打球練習用具１の用具本体２の構成において、１本のバネ線材からボール保持部３を形成する際に、屈曲部３ｃを形成する工程で折り返しの曲率を調整して、図１（ａ）に対応するボール６を保持する前の状態の平面視略Ｖ字状の開放角度を拡げるようにしてもよい。ボール保持部３の弾性力が低下するため、保持力は若干低下することになるが、ボール６を保持したままボール保持部３内でボール６に回転をかけることが可能になる。そのため、たとえば打球時にドライブ回転をかけるように打球することで、ボール６にドライブ回転をかけた打球練習をすることが可能になる。
【００４３】
以上のような本考案の卓球の打球練習用具１によれば、固定具５の一例としてのペットボトル９を床の上、椅子や台の上、机の上等に置き、更に揺動バネ部４の固定具５による固定位置を変更して揺動バネ部４の揺動幅を適宜変更することにより、場所を選ばず、練習者の好きな場所や好みの高さ位置で打球練習することができる。そのため、卓球を始めようとする人、スイングを正しく速く習得したい人は、ラケットとボールがあれば、自宅でも場所を取らずに手軽に練習することができ、たとえば、椅子に座りながら練習をすることもできる。これにより、体の不自由な方や高齢者など、練習は行いたいが、立ちながらの練習は辛い時などであっても積極的に好きなときに場所を選ばず打球練習をすることができる。
【００４４】
また、ボール保持部３では、該ボール保持部３の弾性力によりボール６を保持させているだけであるため、市販のボールに接着剤を付けて固定したり、ボール６に穴をあけたりするなどの加工を一切することなくそのまま使用することができるので、簡単にボール６の着脱を行うことができる。更に、ボール６に回転をかけた打球をすることが可能になる等、ボール６の打球間隔が現実に近くなる。
【００４５】
なお、用具本体２を構成するバネ線材は、バネ用ステンレス線に代えて、ピアノ線や硬鋼線等の線材を用いてもよい。この場合にも、ピアノ線や硬鋼線等の線材を曲げて加工してボール保持部３を形成することは変わらないが、ピアノ線や硬鋼線等のそれぞれの線材に適した線径のものを用いるようにすればよい。
【００４６】
本考案の打球練習用具１における固定具５は、一例としてペットボトル９のキャップ１０にホースバンド１１により揺動バネ部４を固定させるようにしたものを示したが、これに限られるものではなく、種々の構成のものとすることができる。
【００４７】
たとえば、図示はしないが、ペットボトル９のキャップ１０を外した状態のペットボトル９の口部内部にゴム栓を圧入してなる構成とすることもできる。この場合は、該ゴム栓に揺動バネ部４の他端部を挿通させることで固定でき、打球練習用具１として構成することができる。
【００４８】
更に固定具５の他の構成として、ペットボトル９に代えて、カメラの三脚に固定金具を取付け、該固定金具にチャックやピンバイス等を取付けることにより揺動バネ部４を固定するようにしてもよい。その他、テーブルの脚や椅子等に揺動バネ部４を取り付け固定するようにしてもよい。
【００４９】
卓球のボールは、一般的な卓球（硬式卓球）に用いられる直径４０ｍｍのボールだけでなく、直径４４ｍｍのラージボールを用いるようにしてもよい。
【００５０】
その他本考案の要旨を逸脱しない範囲内で種々変更を加え得ることは勿論である。
【符号の説明】
【００５１】
１  打球練習用具
２  打球練習用具本体（用具本体）
３  ボール保持部
３ａ，３ｂ  円状部
３ｃ  屈曲部
４  揺動バネ部
５  固定具
６  ボール
７  開放端
８  端部固定部材
Ｘ  直線状の部分
Ｙ  バネ線材の一端部
Ｚ  揺動バネ部の一端部
【図１】
0003183345.tif 000003
【図２】
0003183345.tif 000004
【図３】
0003183345.tif 000005
【図４】
0003183345.tif 000006